(57)【要約】  【構成】  排水装置１０は、外筒１２、第１内筒１４および第２内筒１６を含む３重筒構造を有し、田畑輪換を行う圃場１００等に用いられる。外筒１２は、上端開放の有底縦管状に形成され、その側壁下端部には、排水流入口２０および排出口２２が形成される。第１内筒１４は、外筒１２内に嵌入され、上下動または周方向に回転することによって外筒１２の排水流入口２０を開閉する。また、第２内筒１６は、第１内筒１４内に嵌入され、上下動することによってその上端部に形成される田面水流入口４２の高さ位置を変更する。  【効果】  簡単な構成で、設定水位以上の田面水を排水してその水位を調整できると共に、深溝または地中からの排水を排出できる。【選択図】  図１
2015137486.tif 000002
【特許請求の範囲】
【請求項１】
湛水時には設定水位以上の田面水を排水して水位調整すると共に、乾田時には深溝または地中からの排水を排出する排水装置であって、
上端開放の有底縦管状に形成され、側壁下端部に形成される排水流入口と排出口とを有する外筒、
前記外筒内に嵌入されて、上下動または周方向に回転することによって前記排水流入口を開閉可能な第１内筒、および
上端部に形成される田面水流入口を有し、前記第１内筒内に嵌入されて、上下動することによって前記田面水流入口の高さ位置を変更可能な第２内筒を備える、排水装置。
【請求項２】
前記外筒の内周面および前記第１内筒の外周面のそれぞれと密着する第１止水部材、および
前記第１内筒の内周面および前記第２内筒の外周面のそれぞれと密着する第２止水部材を備える、請求項１記載の排水装置。
【請求項３】
少なくとも前記第１内筒の下端部外周面または前記外筒の下部内面に設けられ、当該第１内筒によって前記排水流入口を閉じた際に、当該排水流入口から前記外筒内に浸入する水を止める第３止水部材を備える、請求項１または２記載の排水装置。
【請求項４】
前記第１内筒の下端部が前記排水流入口を閉じた状態で、当該第１内筒の内部が前記排出口と連通する、請求項１ないし３のいずれかに記載の排水装置。
【請求項５】
前記第１内筒の内周面に形成され、前記第２内筒の下端を係止する第１突起部をさらに備え、
前記第２内筒の下端部は、その軸方向長さが周方向で異なるように形成される、請求項１ないし４のいずれかに記載の排水装置。
【請求項６】
前記第２内筒の下端は、階段状に形成される、請求項５記載の排水装置。
【請求項７】
前記第１内筒の下端部外周面に形成される上下方向に延びるキー溝、および
前記外筒の内周面に形成され、前記キー溝に嵌り合う第２突起部をさらに備える、請求項１ないし６のいずれかに記載の排水装置。
【請求項８】
前記外筒の上端部と前記第１内筒の上端部とを連結し、前記外筒からの前記第１内筒の抜けを防止する抜止部材をさらに備える、請求項１ないし７のいずれかに記載の排水装置。
【請求項９】
前記排水流入口に設けられるゴミ除去フィルタをさらに備える、請求項１ないし８のいずれかに記載の排水装置。
【請求項１０】
前記ゴミ除去フィルタは、側壁に複数の孔を有する筒状に形成され、一方端部は前記排水流入口に接続され、他端部はその内壁同士が接触するように閉口される、請求項９記載の排水装置。
【請求項１１】
前記排水流入口には、地中に埋設された暗渠管または弾丸暗渠が接続される、請求項１ないし８のいずれかに記載の排水装置。
【発明の詳細な説明】
【技術分野】
【０００１】
この発明は排水装置に関し、特にたとえば、田畑輪換を行う圃場などに用いられて、湛水時には設定水位以上の田面水を排水して水位調整すると共に、畑作時などの乾田時には深溝または地中からの排水を排出する、新規な排水装置に関する。
【背景技術】
【０００２】
従来、水田には、稲の生育過程などに応じて田面水の水位調整を行うために、設定水位以上の田面水を排水してその水位を調整する排水装置（水位調整器または落水口とも言う。）が設けられている。
【０００３】
たとえば、特許文献１には、従来の排水装置の一例が開示される。特許文献１の排水装置は、外筒およびそれに嵌入される内筒を備える。外筒の側壁上部には窓部が形成され、この窓部は、堰として機能する内筒が上下動することによって、その開口高さが任意に変えられる。また、外筒の下流端には、排水管が接続される。湛水時には、所望の田面水高さの位置に内筒上端がくるように調整され、内筒上端を超える余剰の田面水を排水管に排水することによって、田面水の水位が所望高さに保たれる。
【先行技術文献】
【特許文献】
【０００４】
【特許文献１】特開平１１−２８０２８号公報  [Ａ０１Ｇ  ２５／００]
【発明の概要】
【発明が解決しようとする課題】
【０００５】
近年、水田農業の改善を図るため、数年ごとに圃場を田状態および畑状態で交互に利用する田畑輪換を行う圃場が増加している。ここで、畑作期間においては、湿害を防止するために、深溝または地中からの排水を適切に行うことが必要となる。また、冬期に裏作を行ったり、単に圃場から水を抜いて乾田化したりするような場合にも、深溝または地中からの排水を適切に行うことが必要となる。
【０００６】
しかしながら、特許文献１の技術では、田面水を排水してその水位を調整することはできるものの、深溝または地中からの排水を排出することはできない。そこで、深溝または地中からの排水を行う排水設備を圃場に別途設けることが考えられるが、これでは設備コストが嵩んでしまい、特に、兼業農家などが個々に営む小規模の圃場では実施し難い。
【０００７】
それゆえに、この発明の主たる目的は、新規な、排水装置を提供することである。
【０００８】
この発明の他の目的は、簡単な構成で、設定水位以上の田面水を排水して水位調整すると共に、深溝および地中からの排水を排出することが可能な、排水装置を提供することである。
【課題を解決するための手段】
【０００９】
第１の発明は、湛水時には設定水位以上の田面水を排水して水位調整すると共に、乾田時には深溝または地中からの排水を排出する排水装置であって、上端開放の有底縦管状に形成され、側壁下端部に形成される排水流入口と排出口とを有する外筒、外筒内に嵌入されて上下動または周方向に回転することによって排水流入口を開閉可能な第１内筒、および上端部に形成される田面水流入口を有し第１内筒内に嵌入されて上下動することによって田面水流入口の高さ位置を変更可能な第２内筒を備える、排水装置である。
【００１０】
第１の発明では、排水装置は、外筒、第１内筒および第２内筒を含む３重筒構造を有し、田畑輪換を行う圃場に用いられて、湛水時には設定水位以上の田面水を排水して水位調整すると共に、乾田時には深溝または地中からの排水を排出する。外筒は、上端開放の有底縦管状に形成され、その側壁下端部には、排水流入口および排出口が形成される。第１内筒は、外筒内に嵌入され、上下動または周方向に回転することによって外筒の排水流入口を開閉する。また、第２内筒は、第１内筒内に嵌入され、上下動することによってその上端部に形成される田面水流入口の高さ位置を変更する。
【００１１】
第１の発明によれば、第１内筒を用いて排水流入口を開閉することによって、深溝または地中からの排水の可否を制御でき、第２内筒を用いて田面水流入口の高さを調整することによって、田面水の水位を調整できる。すなわち、排水装置を三重筒構造にするという簡単な構成で、設定水位以上の田面水を排水してその水位を調整できると共に、深溝または地中からの排水を排出できる。
【００１２】
また、排水装置は、構成が簡単であるので、製作コストおよび設置コストを安価に抑えることができる。さらに、排水流入口の開閉は、第１内筒を上下動または周方向に回転させるだけでよく、田面水流入口の高さ調整は、第２内筒を上下動させるだけでよいので、設置後の作業も容易である。
【００１３】
第２の発明は、第１の発明に従属し、外筒の内周面および第１内筒の外周面のそれぞれと密着する第１止水部材、および第１内筒の内周面および第２内筒の外周面のそれぞれと密着する第２止水部材を備える。
【００１４】
第２の発明では、第１止水部材は、たとえば合成ゴム等によって形成されるゴム輪であって、外筒の内周面および第１内筒の外周面のそれぞれと密着して、この間の止水性を確保する。同様に、第２止水部材は、たとえば合成ゴム等によって形成されるゴム輪であって、第１内筒の内周面および第２内筒の外周面のそれぞれと密着して、この間の止水性を確保する。
【００１５】
第２の発明によれば、外筒と第１内筒との間の隙間、および第１内筒と第２内筒との間の隙間から排水装置内への水の浸入を防ぐことができる。
【００１６】
第３の発明は、第１または第２の発明に従属し、少なくとも第１内筒の下端部外周面または外筒の下部内面に設けられ、当該第１内筒によって排水流入口を閉じた際に、当該排水流入口から外筒内に浸入する水を止める第３止水部材を備える。
【００１７】
第３の発明では、第３止水部材は、たとえばスポンジ系ゴム等で形成される帯状体であって、少なくとも第１内筒の下端部外周面または外筒の下部内面に設けられる。第３止水部材は、湛水時に第１内筒によって排水流入口を閉じた状態にする際に、排水流入口の開口縁と第１内筒の下端部外周面との間の隙間を塞ぐ。
【００１８】
第３の発明によれば、湛水時に田面水を排水して水位調整するときに、排水流入口から外筒内への水の浸入を確実に防ぐことができる。
【００１９】
第４の発明は、第１ないし第３のいずれかの発明に従属し、第１内筒の下端部が排水流入口を閉じた状態で、当該第１内筒の内部が排出口と連通する。
【００２０】
第４の発明では、第１内筒の下端部は、たとえば一方側面から斜め方向に切り欠かれた楔形状に形成され、第１内筒の下端部によって排水流入口を閉じたときに、第１内筒の内部が外筒の排出口と連通する状態となる。
【００２１】
第５の発明は、第１ないし第４のいずれかの発明に従属し、第１内筒の内周面に形成されて第２内筒の下端を係止する第１突起部をさらに備え、第２内筒の下端部は、その軸方向長さが周方向で異なるように形成される。
【００２２】
第５の発明では、第１内筒の内周面には、第２内筒の下端を係止する第１突起部が形成される。また、第２内筒の下端部は、その下端から上端までの長さ（下端部自体の軸方向長さ）が、周方向で異なるように形成される。これによって、第２内筒を上下動させるときには、第２内筒を周方向に回転させつつ上下動させることによって、どの高さ位置においても、第１内筒の第１突起部に第２内筒の下端を係止させた状態にすることが可能となる。
【００２３】
第５の発明によれば、第２内筒の意図しない下がりを確実に防止することができる。
【００２４】
第６の発明は、第５の発明に従属し、第２内筒の下端は、階段状に形成される。
【００２５】
第６の発明では、第２内筒の下端が階段状に形成される。これによって、第２内筒の下端と突起部とが水平方向に面接触するようになり、第２内筒に対して下方向に大きな力が作用した場合でも、第２内筒が回転しながら下降してしまうことが防止される。
【００２６】
第６の発明によれば、第２内筒の意図しない下がりをより確実に防止することができる。
【００２７】
第７の発明は、第１ないし第６のいずれかの発明に従属し、第１内筒の下端部外周面に形成される上下方向に延びるキー溝、および外筒の内周面に形成されてキー溝に嵌り合う第２突起部をさらに備える。
【００２８】
第７の発明では、第１内筒の下端部外周面には、上下方向に延びる条溝であるキー溝が形成される。また、外筒の外周面には、第１内筒のキー溝と嵌合する第２突起部が形成される。
【００２９】
第７の発明によれば、第１内筒がキー溝と第２突起部との嵌合によって回り止めされ、第１内筒の周方向の位置決めが確実に行われる。
【００３０】
第８の発明は、第１ないし第７のいずれかの発明に従属し、外筒の上端部と第１内筒の上端部とを連結し、外筒からの第１内筒の抜けを防止する抜止部材をさらに備える。
【００３１】
第８の発明では、外筒の上端部と第１内筒の上端部とを連結するチェーン等の抜止部材をさらに備える。これによって、外筒からの第１内筒の抜けを防止できる。
【００３２】
第９の発明は、第１ないし第８のいずれかの発明に従属し、排水流入口に設けられるゴミ除去フィルタをさらに備える。
【００３３】
第９の発明では、外筒の排水流入口には、ゴミ除去フィルタが設けられる。これによって、深溝水や地中水に混ざるゴミが、排水路へ流出してしまうことを防ぐことができる。
【００３４】
第１０の発明は、第９の発明に従属し、ゴミ除去フィルタは、側壁に複数の孔を有する筒状に形成され、一方端部は排水流入口に接続され、他端部はその内壁同士が接触するように閉口される。
【００３５】
第１０の発明では、ゴミ除去フィルタは、側壁に複数の孔を有する筒状体であって、その一方端部が排水流入口に接続される。また、ゴミ除去フィルタの他端部は、その内壁同士が接触するように閉口される。
【００３６】
第１０の発明によれば、ゴミ除去フィルタと地中水または深溝水との接触面積を大きくすることができるので、地中水または深溝水の排出性能（排水流入口からの地中水または深溝水の流入性能）を確保できる。
【００３７】
第１１の発明は、第１ないし第８のいずれかの発明に従属し、排水流入口には、地中に埋設された暗渠管または弾丸暗渠が接続される。
【００３８】
第１１の発明では、外筒に形成される排水流入口には、地中に埋設された有孔排水管などの暗渠管または弾丸暗渠が接続される。
【００３９】
第１１の発明によれば、圃場の全域から効率的に排水を集めることができるようになるので、排水性能をより向上させることができる。
【発明の効果】
【００４０】
この発明によれば、第１内筒を用いて排水流入口を開閉することによって、深溝または地中からの排水の可否を制御でき、第２内筒を用いて田面水流入口の高さを調整することによって、田面水の水位を調整できる。すなわち、排水装置を三重筒構造にするという簡単な構成で、設定水位以上の田面水を排水してその水位を調整できると共に、深溝または地中からの排水を排出できる。
【００４１】
また、構成が簡単であるので、製作コストおよび設置コストを安価に抑えることができる。さらに、排水流入口の開閉は、第１内筒を上下動または周方向に回転させるだけでよく、田面水流入口の高さ調整は、第２内筒を上下動させるだけでよいので、設置後の作業も容易である。
【００４２】
この発明の上述の目的、その他の目的、特徴および利点は、図面を参照して行う後述の実施例の詳細な説明から一層明らかとなろう。
【図面の簡単な説明】
【００４３】
【図１】この発明の一実施例である排水装置を圃場に設置した様子を示す図解図である。
【図２】図１の排水装置の外観を示す図解図である。
【図３】図１の排水装置を示す断面図である。
【図４】図１の排水装置が備える外筒を示す断面図である。
【図５】図１の排水装置が備える第１内筒を示す断面図である。
【図６】図１の排水装置が備える第２内筒を示す断面図である。
【図７】図１の排水装置を用いて田面水の水位調整を行っているときの様子を示す図解図である。
【図８】図１の排水装置を用いて深溝または地中からの排水を排水しているときの様子を示す図解図である。
【図９】この発明の他の実施例である排水装置において、第２内筒が最下位置に位置する状態を示す図解図である。
【図１０】図９の排水装置において、第２内筒が最上位置に位置する状態を示す図解図である。
【図１１】この発明の排水装置のさらに他の実施例を示す断面図である。
【図１２】この発明の排水装置のさらに他の実施例を示す断面図である。
【図１３】この発明の排水装置のさらに他の実施例を示す断面図である。
【図１４】図１３の排水装置のXIV-XIV線における断面を示す断面図である。
【図１５】図１３の排水装置が備える第１内筒の外観を示す斜視図である。
【図１６】この発明の排水装置のさらに他の実施例を示す断面図である。
【発明を実施するための形態】
【００４４】
図１を参照して、この発明の一実施例である排水装置１０は、外筒１２、第１内筒１４および第２内筒１６を含み、田畑輪換を行う圃場１００等に埋設されて使用される。そして、湛水時、つまり圃場１００を水田として使用するときには、設定水位以上の田面水を排水してその水位調整を行うと共に、乾田時、つまり圃場１００を乾田化して畑として使用するときには、深溝水または地中水を排水する。ただし、排水装置１０は、数年ごとに田畑輪換を行う圃場１００だけでなく、冬期に裏作を行う圃場や、単に水を抜いて乾田化する時期のある圃場などにも適宜利用される。
【００４５】
以下、図２−図６を参照して、排水装置１０の構成について具体的に説明する。図２および図３に示すように、排水装置１０は、硬質塩化ビニル等の合成樹脂などによって形成される。排水装置１０は、縦管状の外筒１２と、外筒１２に対して上下動可能に嵌入される第１内筒１４と、第１内筒１４に対して上下動可能に嵌入される第２内筒１６とを含む３重筒構造を有する。詳細は後述するように、第１内筒１４は、上下動することで外筒１２に形成される排水流入口２０を開閉することができ、第２内筒１６は、上下動することでその上端部に形成される田面水流入口４２の高さ位置を変更することができる。なお、第１内筒１４および第２内筒のそれぞれの上端部は、その最下位置において、外筒１２および第１内筒１４のそれぞれの上端から突出する状態となる。第１内筒１４および第２内筒１６を最下位置にした状態における排水装置１０の上下方向の長さ（高さ）は、たとえば４２０ｍｍである。
【００４６】
図４に示すように、外筒１２は、略円筒状に形成される側壁１２ａとその下端に設けられる底壁１２ｂとを含む、上端開放の有底縦管状に形成される。また、側壁１２ａの下端部には、排水流入口２０および排出口２２が互いに対向し合う位置に形成される。排水流入口２０および排出口２２の内径は、たとえば１５０ｍｍである。
【００４７】
排水流入口２０は、圃場１００に形成される深溝または地中からの排水を外筒１２内に流入させるための開口であり、側壁１２ａの下端部から横方向に突出する短管状に形成される。一方、排出口２２は、外管１２内に流入した水を外部に排出するための開口であると共に、排水路１０４まで延びる排水管１０６（図１参照）との接続部としても利用され、側壁１２ａの下端部から横方向に突出する短管状に形成される。
【００４８】
この実施例では、側壁１２ａの下端部は、横管状に形成されており、その横管状部分の両端部が排水流入口２０および排出口２２として利用される。また、横管状部分の中央底部が外筒１２の底壁１２ｂとなる。なお、このような外筒１２の基本構造は、汎用のチーズ継手（９０°Ｙ）に対して汎用の直管を接続するだけで形成できるので、排水装置１０の製作コストを抑制することができる。
【００４９】
また、外筒１２の側壁１２ａ上端部の内周面には、周方向に延びる環状溝２４が形成され、この環状溝２４には、合成ゴムまたはエラストマ等によって形成されるゴム輪などの第１止水部材２６が装着される。第１止水部材２６は、環状溝２４の全長に亘って延びる環状に形成されており、環状溝２４の内面（つまり外筒１２の内周面）および第１内筒１４の外周面のそれぞれと密着して、この間の止水性を確保する。さらに、側壁１２ａの内周面には、後述する第１内筒１４のキー溝３０と嵌合する突起部（第２突起部）２８が形成される。突起部２８は、略直方体状や半円球状などの突起であって、排水流入口２０の上方に形成される。ただし、突起部２８の形成位置は、これに限定されず、キー溝３０の形成位置に応じて適宜変更可能である。
【００５０】
図５に示すように、第１内筒１４は、両端開放の円筒状に形成される。この第１内筒１４の下端部１４ａは、一方側面から斜め方向に切り欠かれた楔形状に形成される。つまり、第１内筒１４の下端の開口１４ｂは、外筒１２の排出口２２に向かって斜め下向きに開口しており、第１内筒１４の下端部１４ａが排水流入口２０を閉じた状態で、第１内筒１４の内部が排出口２２と連通する（図３参照）。
【００５１】
第１内筒１４の外周面には、上述の外筒１２の突起部２８と嵌合するキー溝３０が形成される。キー溝３０は、下端部１４ａの最長部側などに形成される上下方向に延びる条溝である。突起部２８をキー溝３０内に嵌め込んだ状態で第１内筒１４を上下動させることによって、第１内筒１４の周方向の位置決めがされ（周方向の回転が防止され）、第１内筒１４の下端部１４ａの最長部と外筒１２の排水流入口２０の中心部と確実に合わせることができる。また、図示は省略するが、キー溝３０の下端部には、横方向に分岐する係止溝が形成される。第１内筒１４を上昇させるときには、第１内筒１４を周方向に少し回転させて係止溝と突起部２８とを嵌合させ、係止溝によって突起部２８を係止させるとよい。第１内筒１４は、第１止水部材２６の密着力（抵抗力）によっても上昇時の位置を保持できるが、キー溝３０の係止溝によって突起部２８を係止させることで、第１内筒１４の意図しない下がりを確実に防止することができる。
【００５２】
また、第１内筒１４の内周面には、第２内筒１６の下端を係止する突起部（第１突起部）３２が形成される。突起部３２は、略直方体状などの突起であって、開口１４ｂの上端縁よりも上の位置に形成される。この実施例では、突起部３２は、第２内筒１６の最下位置を規定するものであり、第１内筒１４内への第２内筒１６の入り込みを確実に防止する。
【００５３】
さらに、第１内筒１４の上端部内周面には、周方向に延びる環状溝３４が形成され、この環状溝３４には、合成ゴムまたはエラストマ等によって形成されるゴム輪などの第２止水部材３６が装着される。第２止水部材３６は、環状溝３４の全長に亘って延びる環状に形成されており、環状溝３４の内面（つまり第１内筒１４の内周面）および第２内筒１６の外周面のそれぞれと密着して、この間の止水性を確保する。また、第２止水部材３６は、その密着力（抵抗力）により、第２内筒１６を所望の高さ位置で保持する保持部材としても機能する。
【００５４】
また、第１内筒１４の上端部外周面には、外方に突出する環状突起である鍔部３８が形成される。鍔部３８は、第１内筒１４を上下動させる際の把持部として利用される。
【００５５】
さらに、第１内筒１４の下端部１４ａには、第３止水部材４０が設けられる。第３止水部材４０は、スポンジ系ゴムなどで形成される帯状体であって、第１内筒１４の下端面の下半周部分に設けられると共に、下端部１４ａの外周面上を上下方向に延び、下端部１４ａの上端に沿って排出口２２側の外周面半周部分を延びるように第１内筒１４に設けられる。このような第３止水部材４０は、第１内筒１４が最下位置に位置する状態（排水流入口２０を第１内筒１４の下端部１４ａで閉じた状態）において、排水流入口２０の開口縁と第１内筒１４の下端部１４ａ外周面との間に生じる隙間を塞ぎ、排水流入口２０から外筒１２内に浸入する水を止める。
【００５６】
なお、第３止水部材４０は、第１内筒１４に単に貼り付けるだけでもよいが、第３止水部材４０を設ける位置に浅溝を形成しておいて、この浅溝に嵌め込むようにして第３止水部材４０を設けることもできる。また、第３止水部材４０を設ける位置は、図５に示す態様に限定されない。たとえば、第１内筒１４の下端部１４ａの外周面であって、排水流入口２０の開口縁と対向する環状位置に対して第３止水部材４０を設けるようにしてもよい。また、外筒１２の内面側に第３止水部材４０を設けることもできる。
【００５７】
図６に示すように、第２内筒１６は、両端開放の円筒状に形成される。第２内筒１６の上端の開口は、圃場１００に供給された余剰の田面水を外筒１２内に流入させるための田面水流入口４２として機能する。第１内筒１６の上下方向の長さは、たとえば２２０ｍｍであり、その内径は、たとえば１３０ｍｍである。また、第２内筒１６の上端部には、略Ｃ字状の取っ手４４が取り付けられる。取っ手４４は、その両端部を支点として第２内筒１６に対して回動可能とされる。
【００５８】
また、図２および図３に示すように、外筒１２の上端部と第１内筒１４の上端部（鍔部３８）とは、チェーン等の線状体である抜止部材４６によって連結される。抜止部材４６は、第１内筒１４を上昇させて排水流入口２０を開いたときに少し余裕ができる程度の長さを有し、外筒１２からの第１内筒１４の抜けを防止する。
【００５９】
このような排水装置１０は、図１に示すように、圃場１００等に埋設されて使用される。たとえば、２０００−４０００ｍ２の圃場面積に対して１つの排水装置１０を配置するという割合で、圃場１００に排水装置１０が設けられる。具体的には、圃場１００の作付面積を減少させないように、畦畔１０２の圃場１００側の一部が掘削され、そこに排水装置１０が埋設される。この際、排水装置１０は、第１内筒１４および第２内筒１６が最下位置の状態において、第２内筒１６の上端が圃場１００の地表面と略面一となるように埋設される。また、排出口２２には、排水路１０４まで延びる排水管１０６が接着接合またはゴム輪接合などによって接続され、排水流入口２０は、そのまま地中に配置される。
【００６０】
そして、湛水時には、図７に示すように、第１内筒１４を最下位置にして第１内筒１４の下端部１４ａで排水流入口２０を閉じた状態で、第２内筒１６の上端、つまり田面水流入口４２が田面水の所望水位の高さ位置にくるように、第２内筒１６を上昇させてその位置を調整する。この際、第２内筒１６は、第２止水部材３４によって所望の高さ位置で固定保持される。このような状態で圃場１００に用水が供給されると、田面水の水位が第２内筒１６の田面水流入口４２の高さ位置に達した後、設定水位以上の余剰の用水は、田面水流入口４２から外筒１２（排水装置１０）内に流入し、排出口２２から排出される。そして、排出管１０６を通って排水路１０４まで搬送される。これによって、圃場１００の田面水の水位は、第２内筒１６の田面水流入口４２の高さ位置に保たれるようになる。なお、この実施例では、第２内筒１６を上下動させることにより、田面水流入口４２の高さ位置、つまり田面水の水位を０−１７０ｍｍの間で調整することが可能である。
【００６１】
一方、乾田時には、図８に示すように、第１内筒１４を上昇させて外筒１２の排水流入口２０を開く。この際、第１内筒１４は、周方向に少し回転させてキー溝３０に形成される係止溝と外筒１２の突起部２８とを嵌合させることによって、上昇位置で固定保持される。なお、第２内筒１６は、第１内筒１４の上昇に伴い上昇する。排水流入口２０が開かれると、余剰の地中水（または深溝水）が排水流入口２０から外筒１２内に流入し、排出口２２から排出される。そして、排出管１０６を通って排水路１０４まで搬送される。これによって、圃場１００は、乾田状態となって畑作を好適に行うことができるようになる。
【００６２】
この実施例によれば、第１内筒１４を用いて排水流入口２０を開閉することによって、深溝または地中からの排水の可否を制御でき、第２内筒１６を用いて田面水流入口４２の高さを調整することによって、田面水の水位を調整できる。すなわち、排水装置１０を三重筒構造にするという簡単な構成で、設定水位以上の田面水を排水してその水位を調整できると共に、深溝または地中からの排水を排出できる。
【００６３】
また、排水装置１０は構成が簡単であるので、製作コストおよび設置コストを安価に抑えることができる。さらに、排水流入口２０の開閉、または田面水流入口４２の高さ調整は、地上から第１内筒１４または第２内筒１６を上下動させるだけでよいので、設置後の作業も容易である。
【００６４】
さらにまた、排水流入口２０を排出口２２と同じ高さ位置に設けているので、排水装置１０を低背化でき、排水先の排水路１０４が浅い場合にも対応可能となる。つまり、用排水分離などの基盤整備が十分にされていないような小規模な圃場１００にも好適に利用できる。
【００６５】
なお、上述の実施例では、排水流入口２０をそのまま地中に配置するようにしたが、これに限定されない。たとえば、排水流入口２０は、圃場１００の地中に設けられた有孔排水管等の暗渠管または弾丸暗渠などの下流側端部に接続されてもよいし、圃場１００に設けられた深溝の下流側端部の底部に配置されるようにしてもよい。このように、暗渠管、弾丸暗渠または深溝などと排水流入口２０を接続する場合には、暗渠管などを敷設する分だけ高コストとなるが、圃場１００の全域から効率的に排水を集めることができるようになるので、排水性能をより向上させることができる。
【００６６】
また、上述の実施例では、排水流入口２０および排出口２２を互いに対向し合う位置、つまり周方向に１８０°ずらした位置に設けるようにした。しかし、排水流入口２０と排出口２２との周方向における位置関係は、特に限定されず、９０°や１２０°等の適宜な角度だけずらした位置に排水流入口２０および排出口２２を設けることもできる。また、排水流入口２０は、排出口２２よりも高い位置に形成することもできる。
【００６７】
また、上述の実施例では、排水流入口２０を短管状に形成しているが、排水流入口２０の形状は適宜変更可能である。たとえば、排水流入口２０は、外筒１２の側壁１２ａに形成される単なる開口であってもよい。また、排出口２２の形状も、排水管１０６と水密的に接続できる形状であれば適宜変更可能である。たとえば、排出口２２は、受口形状とする代わりに、差口形状とすることもできる。
【００６８】
さらに、上述の実施例では、第２内筒１６を、上端面と下端面とが平行である円筒状に形成したが、これに限定されない。たとえば、図９および図１０に示す実施例のように、第２内筒１６の下端部１６ａを一方側面から斜め方向に切り欠かれた楔形状に形成することもできる。すなわち、図９および図１０に示す実施例では、第２内筒１６の下端部１６ａは、その下端１６ｂから上端１６ｃまでの長さ（つまり下端部１６ａ自体の軸方向長さ）が、周方向で異なるように形成される。これにより、第２内筒１６を上下動させるときには、第２内筒１６を周方向に回転させつつ上下動させることによって、どの高さ位置においても、第１内筒１４の突起部（第１突起部）３２に下端部１６ｂの下端（つまり第２内筒１６の下端）１６ｂを係止（当接）させた状態にすることが可能となるので、第２内筒１６の意図しない下がりを確実に防止することができる。つまり、図９および図１０に示す実施例では、突起部３２は、第１内筒１４内への第２内筒１６の入り込みを防止するだけでなく、第２内筒１６を所望の高さ位置で係止して保持する保持部としても機能する。
【００６９】
また、図１１に示す実施例のように、第２内筒１６の下端１６ｂを階段状に形成することによって、第２内筒１６の下端部１６ａの軸方向長さを周方向で異なるようにすることもできる。図９および図１０に示す実施例では、第２内筒１６の下端１６ｂが斜面状に形成されていることから、第２内筒１６に対して下方向に大きな力が作用した場合には、第２内筒１６の下端１６ｂが突起部３２上を滑り、第２内筒１６が回転しながら下降してしまう可能性がある。これに対して、図１１に示す実施例では、第２内筒１６の下端１６ｂが階段状に形成されるので、第２内筒１６の下端１６ｂと突起部３２とが水平方向に面接触するようになり、第２内筒１６に対して下方向に大きな力が作用した場合に第２内筒１６が回転しながら下降してしまうことが防止される。したがって、図１１に示す実施例によれば、第２内筒１６の意図しない下がりをより確実に防止することができる。
【００７０】
さらにまた、上述の各実施例では、第１内筒１４の下端部１４ａを楔形状に形成しているが、第１内筒１４の下端部１４ａの形状は適宜変更可能である。たとえば、図１２に示す実施例のように、第１内筒１４の下端部１４ａを排出口２２に向かって湾曲させるように形成して、第１内筒１４の下端部１４ａを、田面水流入口４２から垂直方向に流下してくる田面水を排出口２２に案内するための案内部として機能させるようにしてもよい。これによって、田面水流入口４２から流入する田面水を排出口２２から円滑に排出することができる。なお、この場合の第３止水部材４０は、第１内筒１４の下端部１４ａの上端に沿って排水流入口２０側の外周面半周部分を延びたあと、下端部１４ａの外周面を上下方向に円弧状に延びるように第１内筒１４に設けられる。
【００７１】
また、上述の各実施例では、第１内筒１４を上下動させることによって外筒１２の排水流入口２０を開閉させる構成としたが、図１３および図１４に示す実施例のように、第１内筒１４を周方向に回転させることによって外筒１２の排水流入口２０を開閉させる構成にすることもできる。以下、図１３および図１４を参照して、第１内筒１４を回転させるタイプの実施例について説明するが、上述の各実施例と同様の部分については、説明を省略または簡略化する。
【００７２】
図１３および図１４に示すように、外筒１２は、円筒状に形成される側壁１２ａとその下端に設けられる平板状の底壁１２ｂとを含む、上端開放の有底縦管状に形成される。側壁１２ａの下端部には、短筒状の排水流入口２０および排出口２２が互いに対向し合う位置に形成される。また、底壁１２ｂの上面側には、円柱状、方形状または十字状などの嵌合穴１２ｃが形成される。
【００７３】
図１３および図１４と共に、図１５を適宜参照して、第１内筒１４は、円筒状の側壁を有する。第１内筒１４の下端部１４ａには、外筒１２の排水流入口２０および排出口２２のそれぞれと対応する位置に、流入口１４ｃおよび流出口１４ｄが形成される。また、第１内筒１４には、流入口１４ｃと流出口１４ｄとを連結するインバートを有する底壁１４ｅが設けられる。底壁１４ｅの下面側には、外筒１２の嵌合穴１２ｃと嵌り合う円柱状、方形状または十字状の突起１４ｆが設けられており、嵌合穴１２ｃと突起１４ｆとが嵌合することによって、第１内筒１４が位置決めされる。なお、嵌合穴１２ｃおよび突起１４ｆを方形状または十字状などに形成しておけば、第１内筒１４を回り止めすることも可能である。
【００７４】
さらに、第１内筒１４の下端部１４ａの外周面には、第３止水部材４０が設けられる。この実施例では、第３止水部材４０は、下端部１４ａの上端および下端に沿って（つまり流入口１４ｃおよび流出口１４ｄの上縁および下縁のそれぞれを結ぶように）周方向全長に亘って延びると共に、流入口１４ｃおよび流出口１４のそれぞれの両側において上下方向に延びるように第１内筒１４に設けられる。
【００７５】
図１３および図１４に示す実施例では、湛水時には、第１内筒１４の流入口１４ｃおよび流出口１４ｄの位置を外筒１２の排水流入口２０および排出口２２の位置から周方向に９０°ずらした位置にして、第１内筒１４の下端部１４ａで排水流入口２０を閉じる。そして、この状態で、第２内筒１６の上端、つまり田面水流入口４２が田面水の所望水位の高さ位置にくるように、第２内筒１６を上昇させてその位置を調整する。
【００７６】
一方、湛水時には、第１内筒１４を周方向に９０°回転させ、第１内筒１４の流入口１４ｃおよび流出口１４ｄの位置と、外筒１２の排水流入口２０および排出口２２の位置とを合わせた状態にする。これにより、地中水（または深溝水）は、排水流入口２０から外筒１２内に流入し、排出口２２から排出される。
【００７７】
図１３および図１４に示す実施例においても、排水装置１０を三重筒構造にするという簡単な構成で、田面水を排水してその水位を調整できると共に、深溝または地中からの排水を排出できる。また、排水流入口２０の開閉は、第１内筒１４を周方向に回転させるだけでよく、田面水流入口４２の高さ調整は、第２内筒１６を上下動させるだけでよいので、設置後の作業も容易である。
【００７８】
また、図１３および図１４に示す実施例では、田面水流入口４２からの表面排水を行いながら、排水流入口２０からの地中排水を同時に行うこともできる。もちろん、第１内筒１４を上下動させることによって外筒１２の排水流入口２０を開閉させるタイプの図２等に示す実施例においても、地表および地中からの同時排水を行うことは可能であるが、この上下動タイプの実施例では、同時排水時における田面水の水位調整可能範囲が上方に移動する。この点、第１内筒１４を周方向に回転させることによって外筒１２の排水流入口２０を開閉させるタイプの図１３および図１４に示す実施例では、同時排水時においても田面水の水位調整可能範囲は変わらないので、地表および地中からの同時排水を行うことに適している。
【００７９】
なお、図１３および図１４に示す実施例では、第１内筒１４の下端部１４ａに流入口１４ｃおよび流出口１４ｄを形成するようにしたが、図４等に示す各実施例と同様に、第１内筒１４の下端部１４ａを一方側面から斜め方向に切り欠かれた楔形状に形成することもできる。
【００８０】
さらに、他の実施例として、外筒１２の排水流入口２０には、外筒１２内へのゴミの流入を防ぐためのゴミ除去フィルタ５０を設けることもできる。たとえば、図１６に示すように、ゴミ除去フィルタ５０は、側壁に複数の孔を有する筒状体であって、その一方端部が排水流入口２０に接着接合などによって接続される。また、ゴミ除去フィルタ５０の他端部は、その内壁同士が接触するように融着等させることによって閉口される。
【００８１】
図１６に示す実施例によれば、外筒１２の排水流入口２０にゴミ除去フィルタ５０を設けたので、深溝水や地中水に混ざるゴミの排水路１０４への流出を防ぐことができる。また、ゴミ除去フィルタ５０を図１６に示すような形状に形成することによって、ゴミ除去フィルタ５０と地中水または深溝水との接触面積を大きくすることができ、地中水または深溝水の排出性能（排水流入口２０から外筒１２内への地中水または深溝水の流入性能）を確保できる。
【００８２】
ただし、ゴミ除去フィルタ５０の形状は、特に限定されず、たとえば、単に排水流入口２０を覆う平板状に形成することもできるし、ゴミ除去フィルタ５０を円筒状に形成して、その一方端部を排水流入口２０に接続し、その他端部をキャップ等で封止するようにすることもできる。
【００８３】
なお、上で挙げた寸法などの具体的数値は、いずれも単なる一例であり、製品の仕様などの必要に応じて適宜変更可能である。
【符号の説明】
【００８４】
１０  …排水装置
１２  …外筒
１４  …第１内筒
１６  …第２内筒
２０  …排水流入口
２２  …排出口
２６  …第１止水部材
２８  …第２突起部
３０  …キー溝
３２  …第１突起部
３６  …第２止水部材
４０  …第３止水部材
４２  …田面水流入口
４６  …抜止部材
５０  …ゴミ除去フィルタ
１００  …圃場
１０２  …畦畔
１０４  …排水路
【図１】
2015137486.tif 000003
【図２】
2015137486.tif 000004
【図３】
2015137486.tif 000005
【図４】
2015137486.tif 000006
【図５】
2015137486.tif 000007
【図６】
2015137486.tif 000008
【図７】
2015137486.tif 000009
【図８】
2015137486.tif 000010
【図９】
2015137486.tif 000011
【図１０】
2015137486.tif 000012
【図１１】
2015137486.tif 000013
【図１２】
2015137486.tif 000014
【図１３】
2015137486.tif 000015
【図１４】
2015137486.tif 000016
【図１５】
2015137486.tif 000017
【図１６】
2015137486.tif 000018